(57)【要約】【課題】比較的小型で大きな設置場所がなくても、廃棄材料の表面に付着する油や汚れを簡単に洗浄し、廃棄材料を比重液によって正しく分別する新規な廃棄材料の洗浄分別方法を提供する。【解決手段】破砕された廃棄材料に加熱蒸気を吹き付けて廃棄材料の表面を洗浄し、この洗浄された廃棄材料を比重液槽内に供給し、比重液槽内の底部から沈殿する廃棄材料を排出し、比重液槽内の上部から浮遊する廃棄材料を排出するようにしたことを特徴とする。【選択図】図１
2011011176.tif 000002
【特許請求の範囲】
【請求項１】
破砕された廃棄材料に加熱蒸気を吹き付けて廃棄材料の表面を洗浄し、この洗浄された廃棄材料を比重液槽内に供給し、比重液槽内の底部から沈殿する廃棄材料を排出し、比重液槽内の上部から浮遊する廃棄材料を排出するようにしたことを特徴とする廃棄材料の洗浄分別方法。
【請求項２】
比重液槽内に突入配置して廃棄材料供給円筒を設け、この廃棄材料供給円筒の下部先端開口を比重液槽内の底部に向けて配置し、廃棄材料供給円筒内に駆動モーターにより回転する回転軸を設け、この回転軸に廃棄材料を押し込み供給する突片を放射方向に設けてなる廃棄材料供給装置を比重液槽に設け、上記洗浄された廃棄材料をこの廃棄材料供給装置に供給して廃棄材料を比重液槽内に供給する上記請求項１に記載の廃棄材料の洗浄分別方法。
【請求項３】
蒸篭、袋等の容器中に破砕さえた廃棄材料が収められ、容器中に収められた廃棄材料を加熱蒸気により洗浄する廃棄材料の洗浄方法。
【発明の詳細な説明】
【技術分野】
【０００１】
本発明は、廃棄された各種電子機器、家庭用電気製品等の廃棄材料を破砕して、この廃棄材料を比重液により分別する廃棄材料の比重液分別方法に関する。
【背景技術】
【０００２】
使い捨てカメラ、各種小型電子機器あるいは家庭用電気製品等は使用し終わったら廃棄されるが、これらには再使用される材料が多く含まれている。特に廃棄プラスチック材料には再生される材料が多い。
従来から、これら廃棄材料を破砕して種々の材料に分別する方法として、比重液分別方法が公知であり使用されている。即ち、比重液より比重の重い材料を比重液槽内で沈殿させ、比重液より比重の軽い材料を比重液槽上に浮遊させ、これらを分別させる方法である。
【発明の概要】
【発明が解決しようとする課題】
【０００３】
従前公知の比重液分別方法は、比重液槽を多数連接して構成され、比較的大掛かりとなり、比重液分別方法を実施するためには広い場所が必要となるという課題があった。
さらに、比重液分別方法を実施するためには、破砕された廃棄材料の表面に付着する油や汚れを除去しなければ、廃棄材料を正しく分別できないという課題があった。
本発明は、上記課題に鑑み、比較的小型で大きな設置場所がなくても、廃棄材料の表面に付着する油や汚れを簡単に洗浄し、廃棄材料を比重液によって正しく分別する新規な廃棄材料の洗浄分別方法を提供する。
【課題を解決するための手段】
【０００４】
そのため、本発明の廃棄材料の洗浄分別方法は、破砕された廃棄材料に加熱蒸気を吹き付けて廃棄材料の表面を洗浄し、この洗浄された廃棄材料を比重液槽内に供給し、比重液槽内の底部から沈殿する廃棄材料を排出し、比重液槽内の上部から浮遊する廃棄材料を排出するようにしたことを特徴とする。
さらに、本発明の廃棄材料の洗浄分別方法は、比重液槽内に突入配置して廃棄材料供給円筒を設け、この廃棄材料供給円筒の下部先端開口を比重液槽内の底部に向けて配置し、廃棄材料供給円筒内に駆動モーターにより回転する回転軸を設け、この回転軸に廃棄材料を押し込み供給する突片を放射方向に設けてなる廃棄材料供給装置を比重液槽に設け、上記洗浄された廃棄材料をこの廃棄材料供給装置に供給して廃棄材料を比重液槽内に供給するようにしたことを特徴とする。
【発明の効果】
【０００５】
本発明の廃棄材料の洗浄分別方法は、破砕された廃棄材料に加熱蒸気を吹き付けて廃棄材料の表面を洗浄し、この洗浄された廃棄材料を比重液槽内に供給し、比重液槽内の底部から沈殿する廃棄材料を排出し、比重液槽内の上部から浮遊する廃棄材料を排出するようにしたことを特徴とするから、廃棄材料が比重液槽内に供給される前に洗浄され、破砕された廃棄材料は比重液分別される際に、正しく分別される効果がある。
【０００６】
同じく、本発明の廃棄材料の洗浄分別方法は、比重液槽内に突入配置して廃棄材料供給円筒を設け、この廃棄材料供給円筒の下部先端開口を比重液槽内の底部に向けて配置し、廃棄材料供給円筒内に駆動モーターにより回転する回転軸を設け、この回転軸に廃棄材料を押し込み供給する突片を放射方向に設けてなる廃棄材料供給装置を比重液槽に設け、上記洗浄された廃棄材料をこの廃棄材料供給装置に供給して廃棄材料を比重液槽内に供給するようにしたことを特徴とするから、廃棄材料が加熱蒸気により洗浄されることと、廃棄材料供給装置による廃棄材料の摩擦、揉み合いによる表面の油、汚れを除去することとの総合作用により、廃棄材料の表面に油、汚れのない状態にして廃棄材料を正確に分別する効果がある。
【図面の簡単な説明】
【０００７】
【図１】廃棄材料を蒸篭状の容器に収めて加熱蒸気により洗浄する状態の説明図である。
【図２】廃棄材料をメッシュ状の袋に収めて加熱蒸気により洗浄する状態の説明図である。
【図３】本発明方法に使用する比重液分別機の正面図である。
【図４】本発明方法に使用する廃棄材料供給円筒の拡大断面図である。
【図５】同じく廃棄材料供給円筒の軸方向に沿う拡大断面図である。
【発明を実施するための形態】
【０００８】
図１に、蒸篭状の容器２５に廃棄材料を収めて、この容器を３段重ねにし、加熱蒸気の噴出ノズル２６を上記容器の下部に配置し、この噴出ノズル２６から加熱蒸気を容器２５中の廃棄材料に吹き付けて廃棄材料を洗浄する。
図２には、廃棄材料をメッシュ状の袋２７に収め、加熱蒸気のノズル２６を袋
２７内に配置し、このノズル２６から加熱蒸気を吹き付けて廃棄材料を洗浄する。
【０００９】
本発明の廃棄材料の洗浄分別方法に使用する比重液分別機について説明する。
図中符合１が比重液槽で、基礎枠２上に設置してある。この比重液槽１は正面から見て、下側半分以上の部分が逆三角形状をしており、前後方向には平面状長方形となっている。
この比重液槽１中には比重液が収められ、この比重液は分別する廃棄材料によって選択される。この比重液は単なる水の場合もあり、食塩水、アルコール混合水等がある。単なる水の場合は水より比重の重い廃棄材料が沈殿し、水より軽い廃棄材料が浮遊する。食塩水の場合は塩分量にもよるが、比重が１．０１〜１．２０程になり、この比重より重い材料と軽い材料を分別する。逆に、アルコール混合水は比重が０．９９〜０．８０程になり、この比重より重い材料と軽い材料を分別する。
【００１０】
比重液槽１の傾斜する側壁３に沿って、側壁３の外側に比重液槽１の底部４から斜めに排出用スクリュー筒５を設けてある。この排出用スクリュー筒５は円筒であり、内部にスクリュー軸６を設けてあり、このスクリュー軸６を駆動モーター７により回転する。
上記比重液槽１の側壁３の下半部とスクリュー筒５とにそれぞれ開口部８を設けてあり、比重液槽１とスクリュー筒５とを連通させてある。
【００１１】
一方、比重液槽１の上部に浮遊する廃棄材料を排出する排出用スクリュー筒９を設け、その一端を水槽１の上部内に介入しており、この排出用スクリュー筒９は僅かに斜めに配置して位置付けてある。この排出用スクリュー筒９にも内部にスクリュー軸１０を設け、このスクリュー軸１０を駆動モーター１１により回転するようにしてある。
この他図中１８は排出用スクリュー筒５上の上端に設けた排出口であり、同じく図中１９は排出用スクリュー筒９に設けた排出口であり、図中２０，２０は浮遊する廃棄材料を排出用スクリュー筒９の方に移動させる回転部材である。
【００１２】
次に、本発明の廃棄材料の洗浄分別方法に使用する廃棄材料供給装置Ａについて説明する。
この廃棄材料供給装置Ａは、廃棄材料の比重液分別機の比重液槽１内に突入配置して廃棄材料供給円筒１４を設けてあり、この廃棄材料供給円筒１４の下部先端開口２１を比重液槽１内の底部に向けて配置してあり、廃棄材料供給円筒１４内に駆動モーター１６により回転する回転軸１５を儲け、この回転軸１５に廃棄材料を押し込み供給する突片１７を放射方向に突設してある。
【００１３】
廃棄材料供給円筒１４の内面には、４本の等間隔をおき、回転軸１５の軸方向に平行する内向きリブ２２を設けてある。また、上記突片１７は、回転軸１５に沿って等寸法、等角度づつ向きを変えて放射方向に配列して設けてあり、図示した実施例では上記等角度が９０°である。
上記突片１７は、廃棄材料供給円筒１４内に供給された廃棄材料を比重液槽１内に押し込み供給するよう、廃棄材料の押し込み方向に対して偏角可能としてある。そのために、突片１７の基端に軸２３を設け、この軸２３を回転軸１５に貫通し、ナット２４により適宜位置に偏角可能にネジ止めするようにしてある。  また、廃棄材料供給円筒１４の上部に廃棄材料の供給を受けるホッパー１２に連通する開口１３を設けてある。
【００１４】
廃棄材料供給装置では、廃棄材料供給円筒１４内に比重液が充満し、廃棄材料を比重液に馴染ませることができ、また、廃棄材料供給円筒１４内に廃棄材料が詰まって入っている中で回転軸１５が高速回転し、突片１７により廃棄材料を押し込み供給するから、廃棄材料同士が摩擦、揉み合って廃棄材料の表面に付着した油、汚れをよく取り除くことができる。さらに、廃棄材料供給円筒１４の下部先端開口２１を比重液槽１内の底部に向けて配置してあることにより、廃棄材料は比重液槽１内の底で開放され、比重液槽１内で長く移動することになり、沈殿物又は浮遊物を正確に分離することができる。
【００１５】
比重液分別機の作用につき説明する。
先ず、分別する破砕された廃棄材料をホッパー１２内に投入すると、この廃棄材料が廃棄材料供給装置Ａの破砕材料供給円筒１４に供給される。この破砕材料供給円筒１４内では突片１７を有する回転軸１５が回転しているから、廃棄材料は破砕材料供給円筒１４内で押し込まれ、比重液内に供給され、比重液槽１内の比重液内に供給される。比重液内に供給された比重液の比重より重い廃棄材料は比重液槽１内に沈殿し、比重液より軽い廃棄材料は比重液槽１内の比重液に浮遊する。
そして、沈澱した廃棄材料は排出用スクリュー筒５のスクリュー軸６により上方に搬送され、排出口１８から排出される。同じく比重液上に浮遊した廃棄材料は排出用スクリュー筒９内のスクリュー軸１０によって搬送され、排出口１９から排出される。
【符号の説明】
【００１６】
１  比重液槽
２  基礎枠
３  側壁
４  底部
５  排出用スクリュー筒
６  スクリュー軸
７  駆動モータ
８  開口部
９  排出用スクリュー筒
１０  スクリュー軸
１１  駆動モータ
１２  ホッパー
１３  開口
１４  廃棄材料供給円筒
１５  回転軸
１６  駆動モータ
１７  突片
１８  排出口
１９  排出口
２０  回転部材
２１  下部先端開口
２２  内向きリブ
２３  軸
２４  ナット
２５  容器
２６  ノズル
２７  袋
【図１】
2011011176.tif 000003
【図２】
2011011176.tif 000004
【図３】
2011011176.tif 000005
【図４】
2011011176.tif 000006
【図５】
2011011176.tif 000007